(57)【要約】【課題】通話中の相手から問い合わせのあった情報を、通知する側に負担をかけることなく前記通話中の相手に自動音声で通知できるようにした問い合わせ情報通知方法および装置を提供すること。【解決手段】通話中に、自端末の電話帳に氏名や会社名ごとに登録されているその電話番号を含む電話帳登録データを通話相手に音声で通知することが可能であって、通話中の相手から問い合わせのあった情報について検索された前記電話帳登録データの各文字ごとの予め登録されている音声データを、順次、通話中の相手に送信し、前記通話中の相手の端末から前記電話帳登録データを音声で通知する電話番号通知機能を有した制御部を備えている。【選択図】　　　　図１
2004056518.tif 000002
【特許請求の範囲】
【請求項１】
通話中の相手から問い合わせのあった情報を、登録されている文字データの中から検索する検索ステップと、
前記検索ステップにより検索した文字データを、あらかじめ格納されている音声データにより音声変換する文字データ音声変換ステップと、
前記文字データ音声変換ステップにより音声変換した信号を前記通話中の相手の端末に送信し、前記通話中の相手の端末から前記問い合わせのあった情報を音声で通知する通知ステップと、
を備えたことを特徴とする問い合わせ情報通知方法。
【請求項２】
前記文字データ音声変換ステップでは、前記検索ステップにより検索した文字データを文字単位で切り出し、あらかじめ文字単位ごとに格納されている音声データから、前記切り出した文字単位ごとの音声データを順次読み出し、前記読み出した音声データを音声変換することを特徴とする請求項１記載の問い合わせ情報通知方法。
【請求項３】
前記検索ステップは、音声による操作を可能にするボイスコマンド機能により、通話中の相手から問い合わせのあった情報を、登録されている文字データの中から検索することを特徴とする請求項１または２記載の問い合わせ情報通知方法。
【請求項４】
通話中の相手の端末から行われた指示を認識し、前記認識結果をもとに前記指示に従った制御を、前記問い合わせのあった情報を音声で通知する側において可能にする通知制御ステップを備えたことを特徴とする請求項３記載の問い合わせ情報通知方法。
【請求項５】
前記通話中の相手の端末から行われた指示は、前記問い合わせのあった情報についての通知の開始、一時停止またはリピートのいずれかについての指示であることを特徴とする請求項４記載の問い合わせ情報通知方法。
【請求項６】
通話中の相手の発呼者番号をもとに前記通話中の相手の国名を判定する判定ステップを備え、前記文字データ音声変換ステップは、前記検索ステップにより検索した文字データを、前記判定ステップにより判定した国の言語であらかじめ格納されている音声データにより音声変換し、前記通知ステップでは、前記通話中の相手の端末から問い合わせのあった情報を前記判定ステップで判定した国の言語による音声で通知することを特徴とする請求項１記載の問い合わせ情報通知方法。
【請求項７】
前記通話中の相手から問い合わせのあった情報は、電話番号、Ｅメールアドレスまたは自端末電話番号を含む番号情報であり、前記検索ステップでは、文字データとして電話帳に登録されている電話番号、Ｅメールアドレスまたは自端末電話番号を含む電話帳登録情報の中から前記問い合わせのあった情報を検索することを特徴とする請求項１乃至６何れか１項記載の問い合わせ情報通知方法。
【請求項８】
他の端末との間で通話が可能な電話帳機能を備えた携帯無線端末であって、
音声データおよび電話帳登録情報が格納されているメモリ部と、
通話中の相手から問い合わせのあった情報が、前記メモリ部に格納されている前記電話帳登録情報の中から検索されると、前記検索された電話帳登録情報を、前記メモリ部に格納されている音声データにより読み出す制御部と、
前記制御部により読み出された前記音声データを音声変換する音声信号処理部と、
前記音声信号処理部により音声変換された信号を前記通話中の相手の端末に送信する送信手段と、
を備えたことを特徴とする携帯無線端末。
【請求項９】
前記制御部は、通話相手から問い合わせのあった情報を電話帳登録情報の中から音声による操作により検索するボイスコマンド機能を有した音声認識部を備えていることを特徴とする請求項８記載の携帯無線端末。
【請求項１０】
通話中の相手の端末から行われた指示を認識し、前記認識結果をもとに、前記指示に従った制御を、前記問い合わせのあった情報を音声で通知する側において可能にする通知制御手段を備えたことを特徴とする請求項８記載の携帯無線端末。
【発明の詳細な説明】
【０００１】
【発明の属する技術分野】
本発明は、通話中に通話相手から問い合わせのあった情報を通知する問い合わせ情報通知方法および装置に関し、例えば通話相手から問い合わせのあった電話番号が携帯無線端末の電話帳に登録されている場合に、その電話番号を通話中に前記通話相手に通知するのに好適な問い合わせ情報通知方法および装置に関する。
【０００２】
【従来の技術】
昨今、携帯無線端末の普及、電話帳機能の向上により従来の紙の電話帳を持ち歩くユーザは少なく、携帯無線端末の電話帳を「紙」代わりに使うユーザがほとんどである。また、通話中に、自携帯無線端末の電話帳に登録されている友人などの電話番号を通話相手に知らせる場合には、従来は検索機能で該当電話番号（名前）を探し、ＬＣＤに表示されたその電話番号を見ながら読み上げて相手に自分の声で伝えていた。
【０００３】
【発明が解決しようとする課題】
従来、携帯無線端末が固定電話のように、表示部と通話部とが分離せずに一体型になっているため、「通話」しながら「表示部」を見ることが出来ず、従来の携帯無線端末の電話番号通知方法では、電話番号を紙に書き出したり、一時的に自分の頭に記憶させる必要があり、忘れてしまった場合には、ＬＣＤを再度、確認するなど不便であるという課題があった。特に、Ｅメールアドレス等の長いデータを伝える際に不便であるという課題があった。
【０００４】
本発明は、以上の問題点を解決するためになされたものであり、本発明の目的は、通話中の相手から問い合わせのあった情報を、通知する側に負担をかけることなく前記通話中の相手に自動音声で通知できるようにした問い合わせ情報通知方法および装置を提供することにある。
【０００５】
【課題を解決するための手段】
本発明に係る問い合わせ情報通知方法は、通話中の相手から問い合わせのあった情報を、登録されている文字データの中から検索する検索ステップと、前記検索ステップにより検索した文字データを、あらかじめ格納されている音声データにより音声変換する文字データ音声変換ステップと、前記文字データ音声変換ステップにより音声変換した信号を前記通話中の相手の端末に送信し、前記通話中の相手の端末から前記問い合わせのあった情報を音声で通知する通知ステップとを備えたことを特徴とする。
【０００６】
本発明の問い合わせ情報通知方法は、通話中の相手から問い合わせのあった情報を、登録されている文字データの中から検索し、前記検索した文字データを、あらかじめ格納されている音声データにより音声変換し、前記音声変換した信号を前記通話中の相手の端末に送信し、前記通話中の相手の端末から前記問い合わせのあった情報を音声で通知することで、通話中であっても通話中の相手から問い合わせのあった情報を通知する側に負担をかけることなく自動音声で通知することを可能にする。
【０００７】
本発明に係る携帯無線端末は、音声データおよび電話帳登録情報が格納されているメモリ部と、通話中の相手から問い合わせのあった情報が、前記メモリ部に格納されている前記電話帳登録情報の中から検索されると、前記検索された電話帳登録情報を、前記メモリ部に格納されている音声データにより読み出す制御部と、前記制御部により読み出された前記音声データを音声変換する音声信号処理部と、前記音声信号処理部により音声変換された信号を前記通話中の相手の端末に送信する送信手段とを備えたことを特徴とする。
【０００８】
本発明の携帯無線端末は、メモリ部へ音声データおよび電話帳登録情報を格納しておき、通話中の相手から問い合わせのあった情報が、前記メモリ部に格納されている前記電話帳登録情報の中から電話帳機能により検索されると、制御部が前記検索された電話帳登録情報を、前記メモリ部に格納されている音声データにより読み出し、音声信号処理部が前記制御部により読み出された前記音声データを音声変換し、送信手段が前記音声信号処理部により音声変換された信号を前記通話中の相手の端末に送信し、前記通話中の相手の端末から前記問い合わせのあった情報を音声で通知することで、通話中であっても通話中の相手から問い合わせのあった情報を通知する側に負担をかけることなく自動音声で通知することを可能にする。
【０００９】
【発明の実施の形態】
以下、本発明の実施の一形態について説明する。
なお、以下に説明する各実施の形態においては、問い合わせのあった情報とは電話帳に登録された電話番号やＥメールアドレスであり、通話を行なっている当事者は、携帯無線端末を使用している携帯無線端末ユーザとその通話相手であり、前記携帯無線端末ユーザはユーザという。
図１は、第１の実施の形態の問い合わせ情報通知方法が適用された携帯無線端末の構成を示すブロック図であり、この携帯無線端末は、通話中に、自端末の電話帳に氏名や会社名ごとに登録されているその電話番号を含む電話帳登録データを通話相手に音声で通知することが可能であって、通話中の相手から問い合わせのあった情報について検索された前記電話帳登録データの各文字ごとの予め登録されている音声データを、順次、通話相手に送信し、通話中の相手の端末から前記電話帳登録データを音声で通知する電話番号通知機能を有した制御部を備えていることを特徴とする。
【００１０】
図１に示すようにこの携帯無線端末は、アンテナ１０１と、無線部（送信手段）１０２と、音声データ１０５が格納されたメモリ部１０３と、キースイッチを含むキー入力部１０７と、表示部１０８と、メモリ部１０３から読み出された音声データを音声変換する音声信号処理部１０９と、レシーバー１１０と、マイク１１１と、それらを制御する制御部（送信手段）１０６から構成される。また、この携帯無線端末は電話帳機能を有し、その電話帳登録データをメモリ部１０３の電話帳１０４に保存している。また、メモリ部１０３には、英数字等の各文字を音声化するための音声データ１０５、例えばＡＤＰＣＭ（Ａｎａｌｏｇ　Ｄｉｇｉｔａｌ　Ｐｕｌｓｅ　Ｃｏｄｅ　Ｍｏｄｕｌａｔｏｒ）データを備えている。
【００１１】
次に、図１、図２および図３を参照してこの第１の実施の形態の動作について詳細に説明する。図２は、電話帳１０４に登録されている内容を示す電話帳登録データの説明図、図３は、前記電話帳登録データの各文字に対応して予め登録されている音声データ１０５を通話相手に送信し、通話相手の端末から音声で前記電話帳登録データを通知する、制御部１０６が有している電話番号通知機能の動作を示すフローチャートである。
【００１２】
今、携帯無線端末ユーザ（以下、ユーザという）がある相手（以下、通話相手という）と通話中である。ユーザはこの実施の形態の携帯無線端末を使用しているが、通話相手の端末は、固定電話／携帯無線端末／ＰＨＳ／公衆電話などであり限定しない。
【００１３】
ユーザの携帯無線端末の電話帳１０４に登録されている友人などの電話番号や、Ｅメールアドレスなどを、通話中に通話相手へ知らせる場合、ユーザは、先ず、携帯無線端末の電話帳１０４から登録されている名前やＥメールアドレスなどのデータをキー入力部１０７を利用したキー操作により探し出す（ステップＳ３０２、検索ステップ）。ここでは、図２のＴＡＮＡＫＡさんの電話番号０４４−３３３−４４４４とする。（電話帳機能やその検索機能は一般的な機能であるので、詳細な動作説明は省略する。）制御部１０６は、続くステップＳ３０３において通知開始が指示されたか否かを判断しており、ユーザが所定のキー操作により電話番号の「通知」を指示すると、制御部１０６は、電話番号０４４３３３４４４４を１文字ずつ切り出し、それに該当する音声データをメモリ部１０３の音声データ１０５より読み出す（ステップＳ３０４、文字データ音声変換ステップ）。例えば、「０」は「ゼロ」、「４」は「ヨン」である（実際にはＡＤＰＣＭ等のデジタルデータである）。制御部１０６は読み出した音声データを音声信号処理部１０９で音声変換し（例えば、ＡＤＰＣＭデータをエンコードしてＰＣＭデータに変換し、更にＤ／Ａ変換でアナログ信号にする。）そして、順次、通話相手に送信し（ステップＳ３０５、通知ステップ）、全データを送信終了すると（ステップＳ３０６）、この動作を終了する。
【００１４】
以上のように、この第１の実施の形態によれば、電話番号やＥメールアドレス等の情報を音声により通話相手に自動で通知できるように構成したので、ユーザは、自端末の電話帳に登録してある友人等の電話番号やＥメールアドレス等を通話相手に通知する際、その情報を、紙に書き写したり、頭に記憶したり、表示を見ながら話す必要がなくなり、通知する側の負担を軽減でき、携帯無線端末の電話帳に登録されている電話番号を通話中の相手に知らせる場合の利便性を向上させた問い合わせ情報通知方法および装置を提供できる効果がある。
【００１５】
次に、第２の実施の形態の問い合わせ情報通知方法および装置について図２、図４および図５を参照して詳細に説明する。
今、ユーザがある通話相手と通話中である。前記ユーザはこの第２の実施の形態では、ボイスコマンド機能を実現するための音声認識部を備えた携帯無線端末を使用する。また、通話相手の端末は、固定電話／携帯無線端末／ＰＨＳ／公衆電話等であり限定しない。
図４は、この第２の実施の形態の携帯無線端末の構成を示すブロック図である。図４において図１と同一または相当の部分については同一の符号を付し説明を省略する。この携帯無線端末では、制御部（送信手段）４０６が音声認識部４１２を備えており、この音声認識部４１２はボイスコマンド（音声を解読し、それをもとにメニュー操作を行う）機能を持つことを特徴とし、このボイスコマンド機能により音声による電話帳の検索、メニュー操作を行うことが出来る。
【００１６】
次に、この第２の実施の形態の問い合わせ情報通知方法および装置の動作について説明する。図５は、この第２の実施の形態の問い合わせ情報通知方法が適用された携帯無線端末の制御部４０６が有している電話番号通知機能の動作を示すフローチャートである。
通話中に、通話相手にユーザの携帯無線端末の電話帳１０４に登録されている友人等の電話番号やＥメールアドレス等を知らせる場合、ユーザは携帯無線端末の電話帳１０４から該当するデータ（名前／Ｅメールアドレス等）をボイスコマンド機能を利用して（例えば、「でんわちょう」→「たなか」）により探し出す（ステップＳ５０２、検索ステップ）。この第２の実施の形態でも、図２のＴＡＮＡＫＡさんの電話番号０４４−３３３−４４４４とする。（ボイスコマンドによる電話帳検索機能は一般的な機能であるので、詳細な動作説明は省略する。）そして、ボイスコマンドにより電話番号の「通知」（例えば、「つうち」）を指示する。制御部４０６は、続くステップＳ５０３において通知開始が指示されたか否かを判断しており、ユーザが所定のキー操作により電話番号の「通知」を指示すると、制御部４０６は、電話番号０４４３３３４４４４を１文字ずつ切り出し、それに該当する音声データをメモリ部１０３の音声データ１０５より読み出す（ステップＳ５０４、文字データ音声変換ステップ）。例えば、「０」は「ゼロ」、「４」は「ヨン」である。（実際にはＡＤＰＣＭ等のデジタルデータである）制御部４０６は読み出した音声データを音声信号処理部１０９で音声変換させ順次、通話相手に送信する（ステップＳ５０５、通知ステップ）。そして、全データの送信を終了すると（ステップＳ５０６）、この動作を終了する。
【００１７】
以上のように、この第２の実施の形態によれば、ボイスコマンド機能により電話帳の検索を指示し、電話番号やＥメールアドレス等の情報を通話相手に自動で通知できるため、携帯無線端末ではそのユーザは表示部を見ずに、必要な電話番号やＥメールアドレス等の情報を相手に通知でき、通知する側の負担をより軽減でき、携帯無線端末の電話帳に登録されている電話番号やＥメールアドレス等の情報を通話中の相手に知らせる場合の利便性を向上させた問い合わせ情報通知方法および装置を提供できる効果がある。
【００１８】
次に、第３の実施の形態の問い合わせ情報通知方法および装置について図２、図６および図７を参照して詳細に説明する。
今、ユーザがある通話相手と通話中である。前記ユーザはこの第３の実施の形態では、ボイスコマンド機能を実現する音声認識部とＤＴＭＦ（Ｄｕａｌ　Ｔｏｎｅ　Ｍｕｌｔｉ　Ｆｒｅｑｕｅｎｃｙ）処理部とを備えた携帯無線端末を使用する。また、通話相手の端末は、固定電話／携帯無線端末／ＰＨＳ／公衆電話等であり限定しない。
図６は、この第３の実施の形態の携帯無線端末の構成を示すブロック図である。図６において図４と同一または相当の部分については同一の符号を付し説明を省略する。この携帯無線端末はＤＴＭＦを送信可能な端末であり、ＤＴＭＦ処理部（通知制御手段）６１３を備えている。このＤＴＭＦ処理部６１３により、通話相手が番号通知の開始／一時停止／リピートについての指示をキー操作（ＤＴＭＦ発信）により行い、これに対し携帯無線端末のＤＴＭＦ処理部６１３がどの操作が行われたかを認識し、制御部（送信手段、通知制御手段）６０６にその情報を通知することで、電話番号の通知について通話相手のキー操作により一時停止やリピートといった制御が可能になる。
【００１９】
次に、この第３の実施の形態の問い合わせ情報通知方法および装置の動作について説明する。図７は、この第３の実施の形態の問い合わせ情報通知方法が適用された携帯無線端末の制御部６０６が有している電話番号通知機能の動作を示すフローチャートである。
通話中に、通話相手にユーザの携帯無線端末の電話帳１０４に登録されている友人等の電話番号やＥメールアドレス等を知らせる場合、ユーザは携帯無線端末の電話帳１０４から該当するデータ（名前／Ｅメールアドレス等）をボイスコマンド機能やキー操作により探し出す（ステップＳ７０２、検索ステップ）。この第３の実施の形態でも、図２のＴＡＮＡＫＡさんの電話番号０４４−３３３−４４４４とする。そして、ボイスコマンド機能やキー操作により電話番号の「通知」を指示する。制御部６０６は、続くステップＳ７０３において通知開始が指示されたか否かを判断しており、ユーザがボイスコマンド機能や所定のキー操作により電話番号の「通知」を指示すると、制御部６０６は、予めメモリ部１０３に記憶してある音声データ（例えば、「電話番号を通知します。準備がよければ＃を押して下さい」）を読み出し、音声信号処理部１０９で音声変換させ、通話相手に送信する（ステップＳ７０４、通知制御ステップ）。通話相手は聞き取る準備が出来たら＃を押下する。ＤＴＭＦ処理部６１３は通話相手から＃が送られて来たのを確認すると、制御部６０６に知らせる（ステップＳ７０５、通知制御ステップ）。制御部６０６は、電話番号０４４３３３４４４４を１文字ずつ切り出し、それに該当する音声データをメモリ部１０３の音声データ１０５から読み出す（ステップＳ７０６、文字データ音声変換ステップ）。例えば、「０」は「ゼロ」、「４」は「ヨン」である（実際にはＡＤＰＣＭ等のデジタルデータである）。制御部６０６は読み出した音声データを音声信号処理部１０９で音声変換させ順次、通話相手に送信する（ステップＳ７０７、通知ステップ）。なお、この場合、ＤＴＭＦ処理部６１３により、通話相手が番号通知の開始／一時停止／リピートについての指示をキー操作（ＤＴＭＦ発信）により行い、これに対し携帯無線端末のＤＴＭＦ処理部６１３がどの操作がされたかを認識し、制御部６０６にその情報を通知することで、電話番号の通知について前記通話相手が使用する端末のキー操作により前記通話相手の端末から一時停止やリピートといった制御が可能になる。そして、全データの送信を終了すると（ステップＳ７０８）、この動作を終了する。
【００２０】
以上のように、この第３の実施の形態によれば、通話相手が番号通知の開始／一時停止／リピートについての指示をキー操作（ＤＴＭＦ発信）により行い、これに対し携帯無線端末のＤＴＭＦ処理部６１３がどの操作が行われたかを認識し、制御部６０６にその情報を通知することで、電話番号の通知について前記通話相手のキー操作により一時停止やリピートといった制御が可能な問い合わせ情報通知方法および装置を提供できる効果がある。
【００２１】
なお、電話番号送信中に＊のＤＴＭＦをＤＴＭＦ処理部６１３が検出した場合に、制御部６０６が送信を一時中止させる機能を持たせるようにすることも可能である。
【００２２】
また、他の実施の形態として、通話相手の発呼者番号により、通話相手の国名を判断し（判定ステップ）、それに合わせて、番号通知の言語を切り替えて通知する（文字データ音声変換ステップ、通知ステップ）ことも可能である。このため、音声データを各言語毎にテーブル管理し、発呼者番号の国コードにより使用するテーブルを切り替える。これにより、イギリスからの電話には英語による（例えば、０４４はゼロ、フォー、フォー）番号を通知することが可能になる。
また、前述同様の方法で、自端末電話番号を音声で通話相手に通知することも可能である。
【００２３】
【発明の効果】
以上のように、本発明によれば、通話中の相手から問い合わせのあった情報を、登録されている文字データの中から検索する検索ステップと、前記検索ステップにより検索した文字データを、あらかじめ格納されている音声データにより音声変換する文字データ音声変換ステップと、前記文字データ音声変換ステップにより音声変換した信号を前記通話中の相手の端末に送信し、前記通話中の相手の端末から前記問い合わせのあった情報を音声で通知する通知ステップとを備えるように構成したので、通話中の相手から問い合わせのあった情報を通知する側に負担をかけることなくその通話中の相手に自動音声で通知できる効果がある。
【００２４】
本発明によれば、音声データおよび電話帳登録情報が格納されているメモリ部と、通話中の相手から問い合わせのあった情報が、前記メモリ部に格納されている前記電話帳登録情報の中から検索されると、前記検索された電話帳登録情報を、前記メモリ部に格納されている音声データにより読み出す制御部と、前記制御部により読み出された前記音声データを音声変換する音声信号処理部と、前記音声信号処理部により音声変換された信号を前記通話中の相手の端末に送信する送信手段とを備えるように構成したので、通話中の相手から問い合わせのあった情報を通知する側に負担をかけることなくその通話中の相手に自動音声で通知できる効果がある。
【図面の簡単な説明】
【図１】本発明における第１の実施の形態の問い合わせ情報通知方法が適用された携帯無線端末の構成を示すブロック図である。
【図２】本発明における第１の実施の形態の問い合わせ情報通知方法が適用された携帯無線端末の電話帳登録データの説明図である。
【図３】本発明における第１の実施の形態の問い合わせ情報通知方法が適用された携帯無線端末の制御部が有している電話番号通知機能の動作を示すフローチャートである。
【図４】本発明における第２の実施の形態の問い合わせ情報通知方法が適用された携帯無線端末の構成を示すブロック図である。
【図５】本発明における第２の実施の形態の問い合わせ情報通知方法が適用された携帯無線端末の制御部が有している電話番号通知機能の動作を示すフローチャートである。
【図６】本発明における第３の実施の形態の問い合わせ情報通知方法が適用された携帯無線端末の構成を示すブロック図である。
【図７】本発明における第３の実施の形態の問い合わせ情報通知方法が適用された携帯無線端末の制御部が有している電話番号通知機能の動作を示すフローチャートである。
【符号の説明】
１０２……無線部（送信手段）、１０３……メモリ部、１０６，４０６……制御部（送信手段）、１０９……音声信号処理部、４１２……音声認識部、６０６……制御部（送信手段、通知制御手段）、６１３……ＤＴＭＦ処理部（通知制御手段）。
【図１】
2004056518.tif 000003
【図２】
2004056518.tif 000004
【図３】
2004056518.tif 000005
【図４】
2004056518.tif 000006
【図５】
2004056518.tif 000007
【図６】
2004056518.tif 000008
【図７】
2004056518.tif 000009